(57)【特許請求の範囲】
【請求項１】
固定保持用の外枠と、
前記外枠に対して片持ち支持形態で開閉可能に連結支持されるとともに球皿を含む必要な各種構成部材が装備された開閉搭載用の前枠と、
前記前枠の裏側に設けられた収容枠と、
前記収容枠に着脱可能にセットされ、前面側に各種の遊技部品を有する遊技領域を構成した遊技盤と、
前記前枠の裏側に前記収容枠を裏面側から覆って取り付けられ、前記遊技領域内で生じたセーフ球およびアウト球を裏側の経路から機外へ排出する一方、セーフ球に対して設定数の賞品球を裏側の球払出し装置から払出して前記球皿側に排出する機能を有する裏機構とを備えたパチンコ遊技機にあって、
前記裏機構が、前記収容枠の背面の上方部に装備されて球の貯留・供給処理を図る球貯留供給機構部と、前記収容枠の背面の中央部および下方部にかけて装備され、前記球払出し装置を有して球の排出及び払出し処理を図る球払出し排出機構部とから構成され、
前記球貯留供給機構部が、前記収容枠の背面の上方部に相応するサイズのほぼ横長方形状に形成された開閉基枠体と、前記開閉機枠体の背面上部に設けられて相当量のパチンコ球を貯留して給出し得るタンク部材と、前記タンク部材に繋がって設けられて前記タンク部材から給出したパチンコ球を受けて整列状態で前記球払出し装置に送出し得る整列樋部材とを備えて構成され、
前記開閉基枠体の上側縁に設けられた開閉連結支持手段が前記前枠の裏面に連結され、前記開閉機枠体が前記前枠に前記開閉連結支持手段を中心として上下に揺動して前記遊技盤の背面上方部に所定間隔で近接する向きと隔離する向きとに開閉可能であり、且つ固定保持手段を介して閉鎖状態に固定保持されるように構成したことを特徴とするパチンコ遊技機の球貯留供給装置。
【請求項２】
前記整列樋部材における出口部に、前記整列樋部材から前記球払出し装置へのパチンコ球の送出を規制し得る球止め手段が設けられていることを特徴とする請求項１に記載のパチンコ遊技機の球貯留供給装置。
【発明の詳細な説明】
【０００１】
【発明の属する技術分野】
本発明は、パチンコ遊技機の球貯留供給装置に係り、更に詳しくは遊技媒体及び賞品媒体に共通のパチンコ球を使用する遊技機の裏側上方部において、パチンコ球を貯留して供給できるようにした球貯留供給装置に関するものである。
【０００２】
【従来の技術】
この種のパチンコ遊技機の代表例の一つとして、例えばセーフ球及びアウト球の区分発生を含むゲームを展開し得る遊技機（以下パチンコ機ともいう）では、所定の枠サイズに構成された固定保持用の外枠の前側に、所定枠サイズに構成された開閉搭載用の前枠が、互いの一側縁上・下部に配設された開閉連結支持機構（ヒンジ部ともいう）及び他側縁に配設された鍵操作形態の施錠機構を利用して、開閉可能に組み付けられて閉鎖状態に施錠保持されるようになっている。そして、この前枠に必要な遊技構成部材として、収容枠、ガラス扉、上下の球皿、打球発射装置と関連部材等が夫々装備される一方、所要の遊技領域（各種遊技部品と多数本の遊技釘との配置設定）を構成した遊技盤が前記収容枠内にセット保持されており、また前枠裏側に球の貯留・排出処理部等を有する左右横開き形態の裏機構盤が装備されている。
【０００３】
そして、このようなパチンコ機では、遊技盤の遊技領域内にパチンコ球（遊技球）を打ち出して展開されるゲームにおいて、各種の遊技入賞部品に入ったセーフ球と、アウト口に入ったアウト球とに区分し、これらを遊技済み球として最終的には遊技盤裏側から裏機構盤を介して機外へ排出する一方、各々のセーフ球に対して設定数の賞球を裏機構盤側から払出して前記上下の球皿側へ排出するようになっている。
【０００４】
前述したパチンコ機にあって、前記裏機構盤では、遊技盤が収容枠に対して裏側から着脱交換可能に収容セットされる場合に対応した一般的な形態として、収容枠の外郭サイズに合わせてほぼ方形枠状に構成された盤本体を一つの開閉基枠体として、これに遊技済み球（セーフ球及びアウト球）を機外へ排出する排出路を形成する一方、機外の補給装置から供給される相当数のパチンコ球を予備賞球として貯留して給出し得る球タンク及びこの球タンクから給出したパチンコ球を収容して整列状に送出する整列樋を設置すると共に、整列樋の下端に連通する球通入路、この球通入路の下流に位置する球払出し装置、該球払出し装置から払い出された賞球を前記上下の球皿へ排出する賞球排出路等を夫々設けて、全体が１つのセット部材に構成されている。そして、この裏機構盤は、収容枠と盤本体（開閉基枠体）との一側縁上・下部に配設された開閉連結支持手段により開閉及び着脱可能に連結支持され、両者の他縁部に配設された固定保持手段により遊技盤の背面を所定間隔で覆蓋した閉鎖状態に固定化保持されるようになっている。
【０００５】
【発明が解決しようとする課題】
ところで、遊技に供されているパチンコ機の裏機構盤では、前述した球タンクから整列樋、球通入路、そして球払出し装置に亘って相当数のパチンコ球を貯留・収容しており、これに加えて遊技に係わる必要な多くの電子制御基板及び電動部品を常備して、盤全体（開閉基枠体）がかなりの重量物体となっている。そして、遊技盤の着脱（新旧交換）時や裏側点検（各種遊技部品、電子基板、電気部品等の点検や修理・交換）時には、その都度管理者によって開放されて横開き状態のまま放置される。このような実施状況にあって、裏機構盤は、一般に樹脂成形された盤本体が比較的に耐荷重性の低く変形しやすい片持ち横開き式の開閉基枠体であることや前記開閉連結支持手段が互いの軸ピンと軸孔との径差のある嵌挿ヒンジ形態であること等に起因して、開放状態では反開閉連結支点側がかなり下降してしまう。このため、開閉連結支持部に無理な荷重が作用し、特に盤本体（開閉基枠体）と連結支持具との固定部分（ビス止め部分）が早期に脆弱化する問題があり、また比較的に回数の多い遊技盤の裏側点検では、開放される度に球タンク内の貯留球がこぼれ落ち、点検作業に煩わしさを伴っていた。
【０００６】
本発明は、前述した従来の課題を解決すべく新規に提案されたもので、１つの球貯留供給部材として遊技機の裏側上方部に装備されて、パチンコゲームで発生したセーフ球に対する賞球の予備として、相当量のパチンコ球を貯留して供給（通出）し得るようにしたパチンコ遊技機の球貯留供給装置を提供し、以って遊技機における裏側構成を簡素化すると共に遊技盤の点検等を楽にすることを目的とするものである。
【０００７】
【課題を解決するための手段】
このような目的達成のため、本発明に係るパチンコ遊技機は、固定保持用の外枠と、この外枠に対して片持ち支持形態で開閉可能に連結支持されるとともに球皿を含む必要な各種構成部材が装備された開閉搭載用の前枠と、この前枠の裏側に設けられた収容枠と、この収容枠に着脱可能にセットされ、前面側に各種の遊技部品を有する遊技領域を構成した遊技盤と、前枠の裏側に前記収容枠を裏面側から覆って取り付けられ、遊技領域内で生じたセーフ球およびアウト球を裏側の経路から機外へ排出する一方、セーフ球に対して設定数の賞品球を裏側の球払出し装置から払出して球皿側に排出する機能を有する裏機構とを備えて構成される。そして、裏機構が、収容枠の背面の上方部に装備されて球の貯留・供給処理を図る球貯留供給機構部と、収容枠の背面の中央部および下方部にかけて装備され、球払出し装置を有して球の排出及び払出し処理を図る球払出し排出機構部とから構成され、球貯留供給機構部が、収容枠の背面の上方部に相応するサイズのほぼ横長方形状に形成された開閉基枠体と、開閉機枠体の背面上部に設けられて相当量のパチンコ球を貯留して給出し得るタンク部材と、タンク部材に繋がって設けられてタンク部材から給出したパチンコ球を受けて整列状態で球払出し装置に送出し得る整列樋部材とを備えて構成され、開閉基枠体の上側縁に設けられた開閉連結支持手段が前枠の裏面に連結され、開閉機枠体が前枠に開閉連結支持手段を中心として上下に揺動して遊技盤の背面上方部に所定間隔で近接する向きと隔離する向きとに開閉可能であり、且つ固定保持手段を介して閉鎖状態に固定保持されるように構成されている。
なお、整列樋部材における出口部に、整列樋部材から球払出し装置へのパチンコ球の送出を規制し得る球止め手段が設けられているのが好ましい。
【０００８】
このような構成の球貯留供給装置によれば、前枠裏側の収容枠における背面上方側に相応するサイズのほぼ横長方形状に形成された開閉基枠体を、開閉連結支持手段を介して遊技盤の背面上方部に所定間隔で近接する向きと隔離する向きとに開閉可能に連結支持しており、前枠の裏機構を構成する他の部材から独立してこの開閉基枠体を開閉自在としているので、遊技機における裏側構成を簡素化すると共に遊技盤の点検等が楽である。
【０００９】
特に、開閉基枠体を開閉連結支持手段を介して遊技盤の背面上方部において上方に開閉可能となるように連結支持しているので、開閉連結支持手段を構成する連結ピンに曲げ方向の荷重が作用することがなく、連結支持手段の変形、すなわち、連結ピンの変形の問題がない。また、このように上方に開閉可能に構成することにより、連結支持手段による支持荷重を大きくすることができるので、本発明のように、この開閉基枠体の背面側において、上方にタンク部材を設置し、下方に整列樋部材を設置して、開閉基枠体を本体にしてタンク部材及び整列樋部材を合わせた１つの球貯留供給機構部として構成した場合に、この球貯留供給機構部を連結支持手段によりその変形の問題などを生じさせることなく開閉自在に支持することができる。
【００１０】
【発明の実施の形態】
以下、本発明の好適な実施形態を図面参照して説明する。なお本実施形態では、遊技領域内でセーフ球とアウト球の区分発生を含むパチンコゲームを展開し得るパチンコ機に、同機裏側に球貯留供給装置を含む裏機構を設けた実施形態を示す。
【００１１】
まずパチンコ機全体の基本的構成を図１〜図２を参照して説明すると、機枠又は機体として所定の外郭方形枠サイズに構成された固定保持用の外枠１の前側に、これに合わせた方形枠サイズに構成された開閉搭載用の前枠２が、互いの正面左側上下部に配設された開閉連結支持機構３ａ，３ｂ及び正面右側内部に配設された施錠装置４を利用して、開閉（片持ち横開き）及び着脱が可能に組付けられて閉鎖状態に保持される。そしてこの前枠２の各部に必要な遊技構成部材として、前枠２の前側面域に合わせた方形枠サイズのガラス扉（ガラス窓ともいう）５、前枠２の窓口２ａ裏側に合わせた方形枠サイズの収容枠６、上、下の球皿７ａ，７ｂ及び打球発射装置８等が夫々装備される一方、パチンコゲームを展開し得る遊技盤１０が、前記収容枠６の収容面域に対して水平姿勢・位置の縦向きで着脱交換可能にセット保持されて、前面の遊技領域１１を前記ガラス扉５の正面に臨ませており、前枠２の裏側に後述する裏機構が装備されている。
【００１２】
なお、前記前枠２と収容枠６とは、一体に樹脂成形された前後２重枠形態を例示する。また前記遊技盤１０は、収容枠６の収容面域の内法に合わせた方形サイズで裏側から着脱されるタイプを例示し、収容面域の周囲に配設された係合レバー１２で固定保持されるようになっている。そして盤前面のレール１５の内側に、各種の遊技部品（入賞成立発生する大小の入賞具や図柄表示装置を含む）と多数本の遊技釘との配置設定に基づく前記遊技領域１１とアウト口１６を構成し、盤裏側には各入賞具の裏出口から転出するセーフ球を案内する球寄せカバー１７が取着されている（図２参照）。その余の構成として、図示しないが前記上の球皿７ａの下流内側に球送りカセット、前記収容枠６の下部盤前面に発射レール等が夫々装着されており、また遊技領域１１内に到達し得なかった遊技球（ファール球ともいう）を受け入れて収容枠６の下部盤裏側から下の球皿７ｂ側へ戻すファール球排出路が形成されている。
【００１３】
さて、前述したパチンコ機に実施される前記裏機構は、全体として前記収容枠６の背面外郭サイズに合わせたほぼ方形状とされ、大別的に観て収容枠６背面の上方部側に装備されて球の貯留・供給処理を図る第１の機構部としての球貯留供給機構部２０と、収容枠６の背面の中央部及び下方部にかけて装備されて、球の排出及び払出し処理を図る第２の機構部としての球払出し排出機構部４０とに独立区分して、裏機構全体の重量分割化を可能とし、また遊技盤の着脱（新旧交換）時と、点検・修理時との条件、状況に対応して各機構部２０，４０が単独で開閉及び着脱が可能にされて、互いに整合連絡状態で閉鎖保持されるようになっている。そこでこの裏機構について前記各機構部２０，４０毎に区分して詳細に説明する。
【００１４】
【球貯留供給機構部（第１の機構部）】
この球貯留供給機構部（以下第１の機構部ともいう）２０は、球貯留供給装置の実施例とされるもので、図３〜図４に示すように基本的な構成として、上下縦開き形態の盤本体をなす１つの開閉基枠体２１に、予備賞球用のタンク部材２２及び整列樋部材２３、受電・入出力用のターミナル基板２４ａを備えるとともにカバー２４ｂにより覆われて構成されたターミナル制御部２４そして関連機構・部材等が夫々装備されて、全体がユニット化されたセット部材として構成されて取り扱い得るようになっている。
【００１５】
前記開閉基枠体２１は、その外郭サイズとして図２等に示すように、前記収容枠６の背面上方部（上端から約１／４位）に相応する横長方形サイズの箱蓋形状に樹脂成形されており、各部に凹所、位置決め用のボス部や係合部等が形成されると共に、下辺内側に、遊技盤１０の遊技領域１１の背面の主要範囲の上限の目安となる補強用の仕切り壁２５が形成されている（図５等参照）。そして図３，図５等に示すように、上側縁左右の開閉連結支持手段３０，３０と左右側縁の施錠用の固定保持手段３８，３８を利用して、基枠体２１全体が上下方向の開閉と左右方向の着脱とが可能に連結支持されると共に、遊技盤１０の背面上方部（盤上端から約１／４位）を所定間隔で覆蓋する閉鎖状態にセット保持し得るようになっている。ただし開閉基枠体２１では、その内側（機全体から観て前側）の周辺部や内部に縦横のリブ等が形成されて耐荷重性の高い補強構造とされている。
【００１６】
前述した開閉基枠体２１に係る前記左右の開閉連結支持手段（単に支持手段ともいう）３０，３０は、ともに図９〜図１０に例示するように、前枠２の裏側上部にビス固定された支持具３１の支片３１ａの支軸３１ｂと、開閉基枠体２１の上縁内側（前側）に一体成形された軸受けフック部２６の軸受け口２６ａとによるフックヒンジ形態とされており、支軸３１ｂと軸受け口２６ａとの嵌合、抜脱により、連結及び着脱が可能となっている。このもとで、開閉基枠体２１の左右の側端が、前記収容枠６の裏側左右の所定位置に形成された位置決め部６ａ，６ａに係止されて、左右の支持手段３０，３０の水平連結支持位置を基準にして適正な水平姿勢・位置に保持されるようになっている（図３参照）。なお各支持具３１では、その支片３１ａの先端下縁に斜状部３１ｃを形成して開閉基枠体２１の上方回動開放時に上縁と干渉しないようになっており、また支軸３１ｂのねじ孔３１ｄに軸受けフック部２６に対する左右の位置決めストッパー用のビス３２をねじ込み得るようになっている。左右の支持手段３０，３０の支点（支軸３１ｂと軸受け口２６ａ）は、同一水平線上に整一されている。一方各軸受けフック部２６は、逆Ｕの字鈎形に形成されて両側及び下側を開口した軸受け口を利用して、支軸３１ｂに対して着脱可能に掛着嵌合し得、また前記ビス３２を外して軸方向に抜脱し得るようになっている。
【００１７】
このように構成される支持具３１およびフック部２６の変形例を図１１〜１３に示している。具体的には、図１１に示すように支片３１ａ(1)を斜め上方に傾けて支軸３１ｂ(1)の位置を上方に設定した支持具３１(1)を用い、この支軸３１ｂ(1)に図１０に示したものと同一のフック部２６を係止させるようにしても良い。さらに、図１２に示すように、Ｌ字状プレートから支持具３１(2)を構成し、基片３１ｃ(2)を前枠２の上面にビス止めし、支片３１ａ(2)を上方に折り曲げるとともに支軸３１ｂ(2)を取り付け、ここに図１０に示したものと同一のフック部２６を係止させるようにしても良い。また、図１３に示すようにフック部２６(3)に支軸２６ａ(3)を設け、この支軸２６ａ(3)を支持具３１(3)の軸受け口３１ａ(3)に係止するように構成しても良い。
【００１８】
一方前記固定保持手段（単に保持手段ともいう）３８，３８は、ともに図１４に例示するように、前記収容枠６の左右の各側縁部の所定位置に突設された支筒３８ａに対して回動可能に軸支された係合具３８ｂと、開閉基枠体２１の左右の各辺部の所定位置に形成された係合凹口２１ａとによる施錠係合形態とされており、係合具３８ｂの係合片３８ｃが適度の弾性変形を利用して係合凹口２１ａに圧接係合して開閉基枠体２１を強く緊締し得るようになっている。なお係合具３８ｂでは、軸支部品に通常のドライバー工具で弛め得るビス３９を例示し、係合片３８ｃに摘み３８ｄを形成してもよく、他のロック形態であってもよい。例えば、図１５に示すように、開閉基枠体２１に係合ピン２１ａ(1)を取り付け、これに係合レバー３８(1)の係合口３８ａ(1)を係止させるようにしても良い。
【００１９】
前述した開閉基枠体２１に装着された前記タンク部材２２は、図５、図７等に示すように開閉基枠体２１の左寄り上部に形成された凹部２１ｂ内に一部を嵌合した状態で左右の支持部２２ａ，２２ａをボスに位置決めしてビス固定されており、機外の補給装置（図示しない）から供給される相当数のパチンコ球を予備賞球として貯留して下端の球出口２２ｂから排出し得るようになっている。なおこの球貯留部では、球検出手段として図４に示すように、タンク部材２２の底部に取着された球検知レバー２７ａと、凹部２１ｂの底部に取着されたスイッチ２７ｂとを備え、貯留球の減少を検知し得るようになっている。これに対して前記整列樋部材２３は、タンク部材２２の球出口２２ｂに合わせた下方において、各部の支持部２３ａをボスに位置決めして所要の球流れ勾配でビス固定されており、タンク部材２２から供給された多数の予備賞球を賞球路（２列を例示する）２３ｂ内に整列状に収容して下端の変向出口２３ｃに送出し得るようになっている。なおこの整列樋部材２３は、基本的にはその支板両端を開閉基枠体２１の下縁両端に形成された基準部２１ｃに位置決めして設置され、各支持部２３ａの長孔を利用して球流れ勾配が微調整可能とされている。
【００２０】
また、前記ターミナル制御部２４では、前記開閉基枠体２１の右側上部に凹設された方形の収容室２１ｄ内に回路基板２４ａが収容設置され、収容室２１ｄの開口面側に合わせてカバー２４ｂが取着されている。なお回路基板２４ａにおいては、図示しないが遊技ホール側からの電源、パチンコゲーム内容の情報、球切れ情報等に係る必要な回路、デバイス及び電線（コード）用コネクター等が配置、接続されている。またカバー２４ｂは、ビス等を利用した着脱形態を例示したが、支持手段及び保持手段を利用した開閉形態であってもよい。図中の符号２８は、整列樋部材２３の中央部上方で開閉基枠体２１に軸支された振子状の球均し具、２９は整列樋部材２３の下流部上面に取着された回動可能な球押え具を示す。
【００２１】
そして、開閉基枠体２１に付設された前記関連構成（機構・部材）として、貯留球の球抜き機構３５が前記整列樋部材２３の変向出口２３ｃに合わせて装備されている。この機構３５では、図３に例示されるように、開閉基枠体２１に軸支されて常には施錠（閉鎖）方向に適宜付勢保持された操作レバー３６と、開閉基枠体２１に軸支されて操作レバー３６の係合子３６ａで規制される開閉レバー３７とを有し、操作レバー３６が施錠位置と解錠位置とに保持されることに対して、開閉レバー３７が操作レバー３６から拘束、解放されて整列樋部材２３の変向出口２３ｃの閉鎖球案内と開放球抜きとが可能になっている。ちなみに操作レバー３６は、前側球抜き操作として前記ガラス扉５の正面左上部に形成された小孔５ａ及び前枠２の正面左上部に形成された小孔（図示しない）に亘って押通される操作棒３９（図４参照）の押動力で解錠（開放）し得、また裏側球抜き操作として開放された前枠２の裏側（図３参照）において、直接の指先操作力で解錠し得るようになっている。
【００２２】
【球払出し排出機構部】
この球払出し排出機構部（以下第２の機構部ともいう）４０は、球払出し排出装置の実施例とされるもので、図１６〜図２１に示すように基本的な構成として、左右横開き形態の盤本体をなす１つの開閉基枠体４１に、遊技済み球（セーフ球とアウト球）の集合排出経路４２、排出された賞球の球皿側への賞球排出経路４３、前記第１の機構部２０側から送出される賞球の通入経路４４及び球払出し部４５そして関連機構・部材等が夫々装備されて、全体がユニット化されたセット部材として構成されて取扱い得るようになっている。
【００２３】
前記開閉基枠体４１は、図２および図１６に示すように前記収容枠６の背面下方部に相対するほぼ横長方形サイズに樹脂成形された下方の主枠４１ａと、収容枠６の背面中央部に相対するコの字形サイズに樹脂成形された上方の副枠４１ｂとが互いに強固に組付け固定されて、全体では、収容枠６の約３／４位に相応する外郭サイズで耐荷重性の高い組立て基枠体として構成されており、主、副枠４１ａ，４１ｂ間に前記遊技盤１０の遊技領域１１の主要部背面を透視・点検し得る方形状の窓口２ａが形成されている。そしてこの開閉基枠体４１は、図２中右側縁上下の開閉連結支持手段４６，４６と左側縁上下の施錠用の固定保持手段４７，４７を利用して、基枠体全体が左右方向の開閉と上下方向の着脱とが可能に連結支持されると共に、遊技盤１０の背面を所定の球通出間隔をおいて覆蓋する閉鎖状態にセット保持し得るようになっている。
【００２４】
前述した開閉基枠体４１に係る前記上下の開閉連結支持手段（単に支持手段ともいう）４６は、図２１（Ａ）に例示するように前記収容枠６の右側上下部にビス固定された各支持具４６ａの支片４６ｂの支軸４６ｃと、主枠４１ａと副枠４１ｂとの右側縁各部にビス固定された各掛止具４６ｄの掛片４６ｅの軸孔４６ｆとによる嵌挿ヒンジ形態とされており、支軸４６ｃと軸孔４６ｆとの嵌挿、抜脱により、連結及び着脱が可能となっている。なお支軸４６ｃと軸孔４６ｆとの間に、ガタ付き防止用のスリーブを嵌合してもよい。一方前記固定保持手段（単に支持手段ともいう）４７は、図２１（Ｂ）に例示するように収容枠６の左側上下部にビス固定された係合具４７ｂと、主枠４１ａと副枠４１ｂとの左側縁各部に形成された各支台部にビス止め軸支された係合レバー４７ａとによる施錠係合形態とされており、開閉基枠体４１の閉鎖状態において、各支台部の孔４１ｃから裏側に突出した係合具４７ｂの係合口と、係合レバー４７ａの係合口とを直交方向に係合して開閉基枠体４１を強く緊締し得るようになっている。
【００２５】
前述の開閉基枠体４１における前記集合排出経路では、図１６に示すように前記主枠４１ａの内側上方部に区画形成された球受け室４８ａと、この球受け室４８ａの下部に合わせて開口された球通口４８ｂと、主枠４１ａの外側（背面側）下部に区画形成された集合路４２とを連絡して、遊技盤１０のアウト口１６から転出されたアウト球と、各入賞具１８から転出されたセーフ球とを球受け室４８ａ内に受入れて最終的には集合路４２下端の出口から機裏側へ排出処理し得るようになっている。
【００２６】
一方、賞球排出経路４３では、図１６に示すように主枠４１ａの外側（背面側）上部から下方に亘って区画形成された賞球路４３ａと、この賞球路４３ａ上方に開口連通された上球出口４３ｂと、賞球路４３ａの下端に開口された下球出口４３ｃを有し、後述の球払出し装置４５から払出された賞球を、賞球路４３ａ上方から上球出口４３ｂを介して前記上の球皿７ａ側へ排出し、次いで上球出口４３ｂ周辺から溢れ出た余剰賞球を迂回路を介して賞球路４３ａの下球出口４３ｃに排出して図２に示す連絡容器１９を介して前記下の球皿７ｂ側へ排出するようになっている。なおこの賞球排出経路４３では、球検知手段として図１６に略示するように、下球出口４３ｃの近傍に取着された球感知レバー４９ａと、このレバー４９ａで押動されるスイッチ４９ｂとを有し、賞球排出路４３内の賞球充満状態を検知し得るようになっている。
【００２７】
また前述した開閉基枠体４１における前記賞球用の通入経路４４では、図１７に示すように前記副枠４１ｂの右側に構成された樋部５０の縦央に、くの字状の通入路（前後２列を例示する）４４ａが区画形成されて、各路上端の入口が前記第１の機構部２０における整列樋部材２３の賞球路２３ｂの変向出口２３ｃと上下に整合連絡されており（図１７参照）、そして通入経路４４の上部に予備賞球の通入状況や有無を確認検知するための球検出具５１が着脱可能にセットされている。なお球検出具５１では、箱型のケース体内に区画形成された２列の通路内を流通する予備賞球を、球検出手段（図示せず）で検出し得るようになっている。
【００２８】
一方前記球払出し部４５では、図１７に略示するように前記副枠４１ｂの下方部で前記通入経路４４の下端に凹設されたセット口に、電子制御形態の球払出し装置４５が着脱可能に収容セットされており、この装置４５の直下方（副枠４１ｂの下方端）に区画形成された払出し口４３が、前記主枠４１ａにおける賞球排出経路４３の賞球路４３ａの上方入口に整合連絡されるようになっている。なおこの球払出し装置４５では、箱型のケース体４５ａ内に区画形成されて各通入路４４下端と連絡する２列の通路４５ｂ内に通入した予備賞球を、電子制御される駆動手段（図示しない）で回転・停止される回転球送り体４５ｃで１球ずつ払出し口４５ｄに払出し、所定個数のカウント検出に基づいて払出し終了するようになっている。
【００２９】
また第２の開閉基枠体４１においては、前記第１の機構部２０側の予備賞球の球抜き経路５３として、図１７、図１８等に略示するように、前記副枠４１ｂの右側縁に前記通入経路４４と縦列状態で区画形成された第１の球抜き路５３と、前記主枠４１ａの右側に前記賞球路２３ｂに沿って区画形成された第２の球抜き路５４とが上下整合連絡されて、前記タンク部材２２及び整列樋部材２３内の貯留球を、前記球抜き機構３５の開放に基づいて抜出し、最終的には機裏側へ排出できるようになっている。なお第１の球抜き路５３の上端入口５３ａは、図１７に示すように前記通入経路４４の通入路４４ａの入口と区画壁部５３ｂで区分されたもとで、整列樋部材２３の変向出口２３ｃの右下部に臨み、前記開閉レバー３７の開放時に連絡されるようになっている。
【００３０】
前述した第２の機構部４０は、前記第１の機構部２０が閉鎖セット状態にあるもとで、開閉できるように設定されている。この条件にあって、両機構部２０，４０の互いの関連構成として、図２に略示するように第２の開閉基枠体４１における副枠４１ｂの上縁部４０ａが、第１の開閉基枠体２１の下縁部２１ｅに外側（背面側）から整合当接するようになっており、そして両縁部４０ａ，２１ｅの中央部に設けられた整合手段５５で固定化保持されるようになっている。この整合手段５５は、第１の開閉基枠体２１における支持手段３８と同様な形態例として、下縁部２１ｅ中央（前記整列樋部材２３の下方中央）に軸支された回動施錠用の係合レバー５５ａが、上縁部４０ａ中央に形成された係合部４０ｂに強く圧接係合して、両縁部４０ａ，２１ｅを整合保持し得るようになっている。
【００３１】
このように構成すれば、相当数のパチンコ球を貯留したタンク部材２２を有した第１の機構部２０は閉鎖状態のまま、球の払い出し排出を行う複雑な機構を有した第２の機構部４０のみを単独で開閉することができ、その点検整備が容易である。さらに、遊技部品、機構が多数設けられていてその点検、修理が必要となることが多い遊技領域部の裏側に第２の機構部４０が位置するようになっているため、遊技領域部の裏側の点検、修理等が容易である。このとき、タンク部材２２は閉鎖状態で固定されているため、その内部に貯留された球が外にこぼれ落ちるようなことがない。
【００３２】
一方両機構部２０，４０における前記整列樋部材２３と前記通入経路４４との間の球通入規制として、図１８に示すように前記球抜き機構３５における開閉レバー３７の下端に延出形成した球区分案内用の仕切り片３７ａが、通入路４４と第１の球抜き路５３との区画壁部５３ｂに形成された凹口に出没自在に突入して、変向出口２３ｃから通入路４４に通入する球を２列にスムーズに区分案内し得るようになっている。なお、図２２に、操作レバー３６′および開閉レバー３７′の変形例を示している。さらに、図２３に開閉レバー３７″を固定保持した例を示している。
【００３３】
また第１の機構部２０側の予備賞球の球止め手段として、図２０に示すように整列樋部材２３の変向出口２３ｃの所定位置に、球止め棒６０が着脱自在に挿入できるようになっている。この球止め棒６０は、前述した球抜き用の操作棒３９と兼用できるものを例示し、変向出口２３ｃの外側及び内側の仕切り壁に形成された小孔２３ｄ及び前記開閉基枠体２１の下部に形成された小孔２３ｅとに亘って水平状に挿入保持されて、変向出口２３ｃ内の下から第２段目の球を直接係止する例を示す。
【００３４】
そして前述のように構成された第２の機構部４０におけるその余の構成として、前記主枠４１ａの外側（背面側）の各部に、パチンコゲームに係る必要な電子制御手段として、遊技基板、払出し基板そして音、光に関する基板（図示しない）さらには球貸しに関する基板等が夫々装備されている。これにより裏機構全体の総重量が、前記第１の機構部２０の球貯留状態時の重量と、第２の機構部４０の基板装着状態時の重量とに２分化されて、重量軽減化された夫々の機構部２０，４０が単独で楽に開閉できるようになっている。なお第２の機構部４０については、前記主枠４１ａ及び副枠４１ｂを一体樹脂成形して単一の開閉基枠体としてもよい。
【００３５】
以上においては、第１の機構部２０を上下に開閉する構造とし、第２の機構部４０を左右に開閉する構造としているが、第１および第２の機構部をともに左右に開閉する構造としても良い。これについて以下に簡単に説明する。このとき、上述した図１〜図２３に示すパチンコ機と同一構成部分もしくは部品については同一番号を付して簡単に説明する。
【００３６】
左右に開閉する構造の第１の機構部（球貯留供給機構部）１２０を有した裏機構全体を図２４に示しており、この第１の機構部１２０を拡大して図２５および図２６に示している。この第１の機構部１２０は、基本的な構成として、左右横開き形態の盤本体をなす１つの開閉基枠体１２１に、予備賞球用のタンク部材２２及び整列樋部材２３、ターミナル制御部２４そして関連機構・部材等が夫々装備されて、全体がユニット化されたセット部材として構成されて取り扱い得るようになっている。
【００３７】
前記開閉基枠体１２１は、前記収容枠６の背面上方部（上端から約１／４位）に相応する横長方形サイズの箱蓋形状に樹脂成形されている。。そして図２５等に示すように、右側縁に設けられた開閉連結支持手段（ヒンジ）１３０と上側縁および左側縁の施錠用の固定保持手段１３８を利用して、基枠体１２１全体が左右方向の開閉と上下方向の着脱とが可能に連結支持されると共に、遊技盤１０の背面上方部（盤上端から約１／４位）を所定間隔で覆蓋する閉鎖状態にセット保持し得るようになっている。ただし開閉基枠体１２１では、その内側（機全体から観て前側）の周辺部や内部に縦横のリブ等が形成されて耐荷重性の高い補強構造とされている。
【００３８】
前述した開閉基枠体１２１に係る前記開閉連結支持手段（単に支持手段ともいう）１３０は、図２７に例示するように収容枠６の右側上部にビス固定された支持具１３１の上下の支片１３１ａの支軸１３１ｂと、開閉基枠体１２１の右縁内側にビス固定された掛止具１３２の軸孔１３２ａとによる嵌挿ヒンジ形態とされており、支軸１３１ｂと軸孔１３２ａとの嵌挿、抜脱により、連結及び着脱が可能となっている。このもとで、開閉基枠体１２１の所定位置が、前記収容枠６の所定位置に形成された位置決め部６ａに係止されて、支持手段１３０の連結支持位置を基準にして適正な水平姿勢・位置に保持されるようになっている（図２５参照）。すなわち、多数のパチンコ球を有するタンク部材１２２を備えて重量が大きな開閉基枠体１２１は、図２５において右側端部において開閉連結支持手段１３０により支持され、左側端部においては位置決め部６ａ上に係止されて支持されて、適正な水平姿勢・位置に保持されるようになっている。なお支軸１３１ｂと軸孔１３２ａとの間にガタ付き防止用のスリーブ１３３を必要に応じて嵌合してもよい。
【００３９】
一方前記固定保持手段（単に保持手段ともいう）１３８は、図２８（Ａ）および（Ｂ）に例示するように、前記収容枠６の当該辺部の所定位置に突設された支筒１３８ａに対して回動可能に軸支された係合具１３８ｂと、開閉基枠体１２１の当該辺部の所定位置に形成された係合凹口１２１ａとによる施錠係合形態とされており、係合具１３８ｂの係合片１３８ｃが適度の弾性変形を利用して係合凹口１２１ａに圧接係合して開閉基枠体１２１を強く緊締し得るようになっている。なお係合具１３８ｂでは、軸支部品に通常のドライバー工具で弛め得るビス１３９を例示し、係合片１３８ｂに摘み１３８ｄを形成してもよく、他のロック形態であってもよい。
【００４０】
前述した開閉基枠体１２１に装着された前記タンク部材２２は、開閉基枠体１２１内に一部を嵌合した状態で左右の支持部２２ａ，２２ａをボスに位置決めしてビス固定されており、機外の補給装置（図示しない）から供給される相当数のパチンコ球を予備賞球として貯留して下端の球出口２２ｂから排出し得るようになっている。なおこの球貯留部では、球検出手段として図２６に示すように、タンク部材２２の底部に取着された球検知レバー２７ａと、凹部２１ｂの底部に取着されたスイッチ２７ｂとを備え、貯留球の減少を検知し得るようになっている。これに対して前記整列樋部材２３は、タンク部材２２の球出口２２ｂに合わせた下方において、各部の支持部２３ａをボスに位置決めして所要の球流れ勾配でビス固定されており、タンク部材２２から供給された多数の予備賞球を賞球路（２列を例示する）２３ｂ内に整列状に収容して下端の変向出口２３ｃに送出し得るようになっている。なおこの整列樋部材２３は、基本的にはその支板両端を開閉基枠体１２１の下縁両端に形成された基準部２１ｃに位置決めして設置され、各支持部２３ａの長孔を利用して球流れ勾配が微調整可能とされている。
【００４１】
また、前記ターミナル制御部２４では、前記開閉基枠体２１の右側上部に凹設された方形の収容室２１ｄ内に回路基板２４ａが収容設置され、収容室２１ｄの開口面側に合わせてカバー２４ｂが取着されている。なお回路基板２４ａにおいては、図示しないが遊技ホール側からの電源、パチンコゲーム内容の情報、球切れ情報等に係る必要な回路、デバイス及び電線（コード）用コネクター等が配置、接続されている。
【００４２】
【球払出し排出機構部】
球払出し排出機構部（第２の機構部ともいう）４０は、前述した球払出し排出装置の実施例の構成、すなわち、図１１〜図１８に示す構成と同一であるので、その説明は省略する。
【００４３】
【発明の効果】
以上説明したように、本発明に係る球貯留供給装置によれば、前枠裏側の収容枠における背面上方側に相応するサイズのほぼ横長方形状に形成された開閉基枠体を、開閉連結支持手段を介して遊技盤の背面に所定間隔で近接する向きと隔離する向きとに開閉可能に連結支持しており、前枠の裏機構を構成する他の部材から独立してこの開閉基枠体を開閉自在としているので、遊技機における裏側構成を簡素化すると共に遊技盤の点検等が楽になる。
【００４４】
特に、開閉基枠体を開閉連結支持手段を介して遊技盤の背面上方部において上方に開閉可能となるように連結支持しているので、開閉連結支持手段を構成する連結ピンに曲げ方向の荷重が作用することがなく、連結支持手段の変形、すなわち、連結ピンの変形の問題がない。
【００４５】
また、このように上方に開閉可能に構成することにより、連結支持手段による支持荷重を大きくすることができるので、本発明のように、この開閉基枠体の背面側において、上方にタンク部材を設置し、下方に整列樋部材を設置して、開閉基枠体を本体にしてタンク部材及び整列樋部材を合わせた１つの球貯留供給機構部材として構成した場合に、この球貯留供給機構部材を連結支持手段によりその変形の問題などを生じさせることなく開閉自在に支持することができる。すなわち、このように上方に開閉可能に構成することにより、連結支持手段による支持荷重を大きくすることができ、この開閉基枠体の背面側において、上方に相当数のパチンコ球を貯留して重量が大きくなるタンク部材を設置し、下方に整列樋部材を設置して、開閉基枠体を本体にしてタンク部材及び整列樋部材を合わせた１つの球貯留供給機構部材として構成することができ、しかもこの球貯留供給機構部材を連結支持手段により開閉自在になんら支障無く支持することができる。
【図面の簡単な説明】
【図１】本発明に係る球貯留供給装置を有したパチンコ遊技機の正面図である。
【図２】前記パチンコ遊技機における前枠の裏面に設けられる裏機構を示す背面図である。
【図３】上記裏機構の上部に設けられる球貯留供給機構部を示す背面図である。
【図４】上記球貯留供給機構部と、その構成部材である整列樋部材２３、ターミナル制御部２４、球抜き機構３５および球均し具２８とを示す平面図である。
【図５】上記球貯留供給機構部を、図３の矢印Ａ−Ａに沿って示す断面図である。
【図６】上記球貯留供給機構部を、図３の矢印Ｂ−Ｂに沿って示す断面図である。
【図７】上記球貯留供給機構部を、図３の矢印Ｃ−Ｃに沿って示す断面図である。
【図８】上記球貯留供給機構部を、図３の矢印Ｄ−Ｄに沿って示す断面図である。
【図９】上記球貯留供給機構部における開閉基枠体の開閉作動を側面から見て示す説明図である。
【図１０】上記球貯留供給機構部における開閉基枠体を上下に開閉自在に支持する開閉連結支持手段を示す斜視図である。
【図１１】上記球貯留供給機構部の上部構成の変形例を示す側面図である。
【図１２】上記球貯留供給機構部における開閉基枠体を上下に開閉自在に支持する開閉連結支持手段の変形例を示す斜視図である。
【図１３】上記球貯留供給機構部における開閉基枠体を上下に開閉自在に支持する開閉連結支持手段の別の変形例を示す斜視図である。
【図１４】上記球貯留供給機構部における開閉基枠体を固定保持する固定保持手段の変形例を示す斜視図である。
【図１５】上記球貯留供給機構部における開閉基枠体を固定保持する固定保持手段の別の変形例を示す斜視図である。
【図１６】前記パチンコ遊技機における裏機構の下部に設けられる球払い出し排出機構部を示す背面図である。
【図１７】上記球払い出し排出機構部における球払い出し部を拡大して示す断面図である。
【図１８】上記球払い出し排出機構部における球払い出し部の上部およびこれに対向する球貯留供給機構部の一部を拡大して示す断面図である。
【図１９】上記球払い出し排出機構部を構成する主枠を図１６の矢印Ｅの方向から見て示す平面図である。
【図２０】上記球払い出し排出機構部における球払い出し部の上部およびこれに対向する球貯留供給機構部の一部を側方からみて且つ拡大して示す断面図である。
【図２１】上記球払い出し排出機構部における開閉連結支持手段および固定保持手段を示す斜視図である。
【図２２】上記球払い出し排出機構部における球払い出し部の上部およびこれに対向する球貯留供給機構部の異なる構成例を示す断面図である。
【図２３】上記球払い出し排出機構部における球払い出し部の上部およびこれに対向する球貯留供給機構部のさらに異なる構成例を示す断面図である。
【図２４】本発明に係るパチンコ遊技機における裏機構の異なる例を示す背面図である。
【図２５】上記異なる例に係る裏機構の上部に設けられる球貯留供給機構部を示す背面図である。
【図２６】上記球貯留供給機構部と、その構成部材である整列樋部材２３、ターミナル制御部２４、球抜き機構３５および球均し具２８とを示す平面図である。
【図２７】上記異なる例に係る裏機構における開閉基枠体を左右に開閉自在に支持する開閉連結支持手段を示す斜視図である。
【図２８】上記異なる例に係る裏機構における開閉基枠体を固定保持する固定保持手段を示す斜視図である。
【符号の説明】
１  外枠
２  前枠
５  ガラス扉
６  収容枠
１０  遊技盤
２０  球貯留供給機構部（第１の機構部）
２１  開閉基枠体
２２  タンク部材
２３  整列樋部材
２４  ターミナル制御部
３０  開閉連結支持手段
３８  固定保持手段
４０  球払い出し排出機構部（第２の機構部）
４１  開閉基枠体
４１ａ  主枠
４１ｂ  副枠
４２  集合排出経路
４３  賞球排出経路
４４  通入経路
４５  払い出し部
４６  開閉連結支持手段
５０  樋部
５１  球検出具
【図１】
0003742752.tif 000002
【図２】
0003742752.tif 000003
【図３】
0003742752.tif 000004
【図４】
0003742752.tif 000005
【図５】
0003742752.tif 000006
【図６】
0003742752.tif 000007
【図７】
0003742752.tif 000008
【図８】
0003742752.tif 000009
【図９】
0003742752.tif 000010
【図１０】
0003742752.tif 000011
【図１１】
0003742752.tif 000012
【図１２】
0003742752.tif 000013
【図１３】
0003742752.tif 000014
【図１４】
0003742752.tif 000015
【図１５】
0003742752.tif 000016
【図１６】
0003742752.tif 000017
【図１７】
0003742752.tif 000018
【図１８】
0003742752.tif 000019
【図１９】
0003742752.tif 000020
【図２０】
0003742752.tif 000021
【図２１】
0003742752.tif 000022
【図２２】
0003742752.tif 000023
【図２３】
0003742752.tif 000024
【図２４】
0003742752.tif 000025
【図２５】
0003742752.tif 000026
【図２６】
0003742752.tif 000027
【図２７】
0003742752.tif 000028
【図２８】
0003742752.tif 000029